(57)【要約】【課題】本発明は、家族墓として区画板を移動して納骨室を分割できるようにした納骨堂を提供する。【解決手段】本発明の納骨堂は、所定の厚さを有する矩形板状の石材から成り、上部に墓の石碑等が配置される上面部石材１と、基礎となる下面部石材２と、前記上面部石材１と前記下面部石材２との間の左右側に設けられる左側面部石材３及び右側面部石材４と、前記上面部石材１と前記下面部石材２との間の背面側に設けられる背面部石材５とを備え、正面側を開口させて略直方体状に囲んで内部に充分の数の納骨壺を収納できる空間を有する納骨室が形成され、正面側の開口部分が入口になる。また、前記左側面部石材３及び前記右側面部石材４の内面側には、納骨室内を左右に平行移動させ、各区画室を形成することが出来る区画板Ａ及び区画板Ｂを設ける。【選択図】図２
2014218799.tif 000002
【特許請求の範囲】
【請求項１】
所定の厚さを有する矩形板状の石材から成り、上部に墓の石碑等が配置される上面部石材と、基礎となる下面部石材と、前記上面部石材と前記下面部石材との間の左右側に設けられる左側面部石材及び右側面部石材と、前記上面部石材と前記下面部石材との間の背面側に設けられる背面部石材とを備え、正面側を開口させて略直方体状に囲んで内部に充分の数の納骨壺を収納できる空間を有する納骨室が形成される納骨堂において、前記左側面部石材及び前記右側面部石材の内面側には、納骨室内を左右に平行移動させ、各区画室を形成することが出来る区画板を設けることを特徴とする納骨堂。
【請求項２】
前記上面部石材及び前記下面部石材は、納骨室側の内面に区画板の凸部及び／又は凹溝が嵌合する凹溝及び／又は凸部を左右方向に延びるように複数列に形成することを特徴とする請求項１記載の納骨堂。
【請求項３】
前記区画板は、納骨室内を左右に平行移動させ、各区画室を形成することが出来る大きさに形成され、上端面及び下端面には前記上面部石材及び前記下面部石材の凹溝及び／又は凸部に嵌合する凸部及び／又は凹溝が形成されることを特徴とする請求項１記載の納骨堂。
【発明の詳細な説明】
【技術分野】
【０００１】
本発明は、家族墓として区画板を移動して納骨室を分割できるようにした納骨堂に関する。
【背景技術】
【０００２】
従来、大きな墓とすることなく、夫妻がそれぞれの実家を供養でき、しかも供養をする夫妻の心情にやさしく、第三者にも違和感がなく、供養し易い墓として二世帯カロートを備えた墓石が知られている（特許文献１を参照）。
この公知技術は、納骨室内部に仕切を設けて左右二室の納骨室に区画した二世帯カロートを備えた墓石である。
【０００３】
また、納骨室部分を堅固にし、且つ家族単位の納骨室とするように納骨室に補強兼用の仕切板を設けると共に、骨壺を収納する地上納骨室と、古い遺骨を土に返して弔うための地下納骨室を有する家族墓における納骨室構造が知られている（特許文献２を参照）。
この公知技術は、納骨室の前壁と後壁の内面に上下に貫通した溝を設け、該溝に補強兼用の仕切板の両端部を嵌合して家族単位の納骨室を形成した家族墓における納骨室構造である。
【０００４】
しかし、これらの公知技術は、仕切又は仕切板が移動できなく固定されたものであったため、必要に応じて仕切又は仕切板の位置を自由に変えることができる納骨堂が望まれていた。
そして、必要に応じて仕切又は仕切板の位置を変えることにより、納骨壺ごとに区分け供養ができると共に、地震等でも仕切又は仕切板に挟持されるので納骨壺の転倒の恐れがなく、安心して利用することができる。
【先行技術文献】
【特許文献】
【０００５】
【特許文献１】実用新案登録第３１１７０５５号公報（図２の仕切１１）
【特許文献２】実用新案登録第３０５７１７２号公報（図２の仕切り板９）
【発明の概要】
【発明が解決しようとする課題】
【０００６】
本発明は、家族墓として区画板を移動して納骨室を分割できるようにした納骨堂を提供することを目的とする。
【課題を解決するための手段】
【０００７】
本発明の納骨堂は、所定の厚さを有する矩形板状の石材から成り、上部に墓の石碑等が配置される上面部石材と、基礎となる下面部石材と、前記上面部石材と前記下面部石材との間の左右側に設けられる左側面部石材及び右側面部石材と、前記上面部石材と前記下面部石材との間の背面側に設けられる背面部石材とを備え、正面側を開口させて略直方体状に囲んで内部に充分の数の納骨壺を収納できる空間を有する納骨室が形成される納骨堂において、前記左側面部石材及び前記右側面部石材の内面側には、納骨室内を左右に平行移動させ、各区画室を形成することが出来る区画板を設けるものである。
【０００８】
前記上面部石材及び前記下面部石材は、納骨室側の内面に区画板の凸部及び／又は凹溝が嵌合する凹溝及び／又は凸部を左右方向に延びるように複数列に形成する。
前記区画板は、納骨室内を左右に平行移動させ、各区画室を形成することが出来る大きさに形成され、上端面及び下端面には前記上面部石材及び前記下面部石材の凹溝及び／又は凸部に嵌合する凸部及び／又は凹溝が形成される。
【発明の効果】
【０００９】
本発明の納骨堂は、左側面部石材及び右側面部石材の内面側には納骨室内を左右に平行移動させ、各区画室を形成することが出来る区画板を設けるため、納骨壺ごとに区分け供養ができると共に、地震等でも区画板に挟持されるので納骨壺の転倒の恐れがなく、安心して利用することができる効果がある。
【図面の簡単な説明】
【００１０】
【図１】本発明の納骨堂の斜視図である。
【図２】本発明の納骨堂の一部断面斜視図である。
【図３】本発明の納骨堂の一部省略斜視図である。
【発明を実施するための形態】
【００１１】
本発明の納骨堂の一実施例を添付図面に基づいて、以下に説明する。
図１の斜視図に示すように、本発明の納骨堂は、所定の厚さを有する矩形板状の石材から成り、上部に墓の石碑等が配置される上面部石材１と、基礎となる下面部石材２と、前記上面部石材１と前記下面部石材２との間の左右側に設けられる左側面部石材３及び右側面部石材４と、前記上面部石材１と前記下面部石材２との間の背面側に設けられる背面部石材５とを備え、正面側を開口させて略直方体状に囲んで内部に充分の数の納骨壺を収納できる空間を有する納骨室が形成され、正面側の開口部分が入口になる。
また、前記左側面部石材３及び前記右側面部石材４の内面側には、納骨室内を左右に平行移動させ、各区画室を形成することが出来る区画板Ａ及び区画板Ｂを設ける。
【００１２】
前記上面部石材１は、図２の一部断面斜視図に示すように、納骨室側の内面に後述する区画板Ａ及び区画板Ｂの凸上部６が嵌合する凹溝７を左右方向に延びるように２列に形成する。なお、この実施例では２列に形成したが、これに限らず複数個設けることもできる。
【００１３】
前記下面部石材２は、納骨室側の内面に後述する区画板Ａ及び区画板Ｂの凸下部８が嵌合する凹溝９を左右方向に延びるように２列に形成する。なお、この実施例では２列に形成したが、これに限らず複数個設けることもできる。
【００１４】
前記区画板Ａ及び区画板Ｂは、納骨室内を左右に平行移動させ、各区画室を形成することが出来る大きさに形成され、上端面及び下端面には前記上面部石材１の凹溝７及び前記下面部石材２の凹溝９に嵌合する凸上部６及び凸下部８が形成される。
なお、区画板Ａ及び区画板Ｂに凸部、上面部石材１及び下面部石材２に凹溝を設けたが、例えば上面部石材１に凸部、区画板Ａ及び区画板Ｂに凹溝のように、上面部石材１及び下面部石材２に凸部及び／又は凹溝、区画板Ａ及び区画板Ｂに凹溝及び／又は凸部を設けた構成でも良い。
【００１５】
次に、本発明の納骨堂の操作動作を添付図面に基づいて、以下に説明する。
図３の一部省略斜視図に示すように、区画板Ａ及び区画板Ｂを中央方向へ移動させて区画室を３つ形成して、各区画室に納骨壺１０を２個ずつ収納している。なお、図３においては上面部石材１を省略して示している。
図１の左側面部石材３及び右側面部石材４の内面側にある区画板Ａ及び区画板Ｂの状態から、図２のように区画板Ａを中央に移動し、さらに図３のように区画板Ｂを中央に移動して区画室を３つ形成して、各区画室に納骨壺１０を２個ずつ収納する。
このようにして、区画板Ａ及び区画板Ｂを左右に平行移動させ、各区画室を形成することが出来るため、納骨壺１０毎に区分け供養ができると共に、地震等でも区画板Ａ及び区画板Ｂに挟持されるので納骨壺１０の転倒の恐れがなく、安心して利用することができる
【符号の説明】
【００１６】
１  上面部石材
２  下面部石材
３  左側面部石材
４  右側面部石材
５  背面部石材
６  凸上部
７  凹溝
８  凸下部
９  凹溝
１０  納骨壺
Ａ  区画板
Ｂ  区画板
【図１】
2014218799.tif 000003
【図２】
2014218799.tif 000004
【図３】
2014218799.tif 000005